(57)【要約】【課題】液晶表示素子のドライバ搭載用張出部の面積を小さくし、前記液晶表示素子の外形をその画面サイズに近い小型形状にすることができるドライバ搭載型の液晶表示装置を提供する。【解決手段】樹脂フィルム１０の一方の面に外部回路からの制御信号をドライバ素子７に供給するための複数の配線１１が形成された配線フィルム９の端部を、液晶表示素子１の一方の基板３に形成されたドライバ搭載用張出部３ａのドライバ搭載面上に、この配線フィルム９の配線形成面とは反対面を前記ドライバ搭載面に対向させて貼付け、前記張出部３ａのドライバ搭載面上に、前記ドライバ素子７を、その複数の入力側端子電極８ａを前記配線フィルム９の複数の配線１１の端部に接続し、複数の出力側端子電極８ｂを前記ドライバ搭載面に形成された前記複数の駆動信号供給配線６の端部に接続して搭載した。【選択図】      図２
2005189431.tif 000002
【特許請求の範囲】
【請求項１】
液晶層を挟んで対向し、対向する内面それぞれに、互いに対向する領域によりマトリックス状に配列する複数の画素を形成する電極が設けられた一対の基板の一方にドライバ搭載用張出部が形成され、この張出部のドライバ搭載面に、前記複数の画素の電極間に表示駆動信号を供給するための複数の駆動信号供給配線が形成された液晶表示素子と、
一方の面に、複数の入力側端子電極と複数の出力側端子電極が配列形成され、外部回路から前記複数の入力側端子電極に入力される制御信号に基づいて前記複数の出力側端子電極から前記液晶表示素子に表示駆動信号を出力するドライバ素子と、
樹脂フィルムの一方の面に前記外部回路からの制御信号を前記ドライバ素子に供給するための複数の配線が形成された配線フィルムとを備え、
前記配線フィルムの端部が、前記液晶表示素子の前記張出部のドライバ搭載面上に、前記複数の配線の形成面とは反対面を前記ドライバ搭載面に対向させて貼付けられ、前記張出部のドライバ搭載面及び前記配線フィルムの上に、前記ドライバ素子が、前記複数の入力側端子電極を前記配線フィルムの複数の配線の端部に接続され、前記複数の出力側端子電極を前記ドライバ搭載面に形成された前記複数の駆動信号供給配線の端部に接続されて搭載されていることを特徴とする液晶表示装置。
【請求項２】
ドライバ素子の複数の入力側端子電極と複数の出力側端子電極はそれぞれ、前記入力側端子電極のドライバ素子面からの突出高さと配線フィルムの厚さとの和と、前記出力側端子電極のドライバ素子面からの突出高さと液晶表示素子の駆動信号供給配線の端部の厚さとが実質的に等しくなる高さに形成されていることを特徴とする請求項１に記載の液晶表示装置。
【発明の詳細な説明】
【技術分野】
【０００１】
この発明は、ドライバ搭載型の液晶表示装置に関する。
【背景技術】
【０００２】
従来、ドライバ搭載型の液晶表示装置は、液晶表示素子の一対の基板の一方に形成されたドライバ搭載用張出部のドライバ搭載面に、この液晶表示素子の複数の画素の電極間にドライバ素子からの表示駆動信号を供給するための複数の駆動信号供給配線と、前記ドライバ素子に外部回路からの制御信号を供給するための複数の制御信号供給配線とを形成し、この張出部のドライバ搭載面上に、一方の面に複数の入力側端子電極及び出力側端子電極が配列形成されたドライバ素子を、その複数の入力側端子電極を前記複数の制御信号供給配線の一端部に接続し、複数の出力側端子電極を前記複数の駆動信号供給配線の端部に接続して搭載するとともに、前記張出部のドライバ搭載面上の端縁部に、外部回路からの制御信号を前記ドライバ素子に供給するフレキシブル配線フィルムの端部を、その複数の配線を前記複数の制御信号供給配線の他端部にそれぞれ対応されて接続した構成となっている（特許文献１、２参照）。
【特許文献１】特開平７−２６１１９１号公報
【特許文献２】特開平８−  ７６０９６号公報
【発明の開示】
【発明が解決しようとする課題】
【０００３】
しかし、上記従来のドライバ搭載型液晶表示装置は、液晶表示素子のドライバ搭載用張出部の端縁部に、ドライバ搭載領域と、外部回路からの制御信号をドライバ素子に供給するための配線フィルムの取付け領域とを、ドライバ素子の搭載及び前記配線フィルムの接続に際して互いに干渉し合わないような間隔をとって確保しなければならないため、前記張出部の面積を小さくすることが難しく、そのために、液晶表示素子の外形が、その画面サイズよりもかなり大きくなってしまうという問題をもっている。
【０００４】
この発明は、液晶表示素子のドライバ搭載用張出部の面積を小さくし、前記液晶表示素子の外形をその画面サイズに近い小型形状にすることができるドライバ搭載型の液晶表示装置を提供することを目的としたものである。
【課題を解決するための手段】
【０００５】
この発明の液晶表示装置は、液晶層を挟んで対向し、対向する内面それぞれに、互いに対向する領域によりマトリックス状に配列する複数の画素を形成する電極が設けられた一対の基板の一方にドライバ搭載用張出部が形成され、この張出部のドライバ搭載面に、前記電極間に表示駆動信号を供給するための複数の駆動信号供給配線が形成された液晶表示素子と、一方の面に、複数の入力側端子電極と複数の出力側端子電極が配列形成され、外部回路から前記複数の入力側端子電極に入力される制御信号に基づいて前記複数の出力側端子電極から前記液晶表示素子に表示駆動信号を出力するドライバ素子と、樹脂フィルムの一方の面に前記外部回路からの制御信号を前記ドライバ素子に供給するための複数の配線が形成された配線フィルムとを備え、前記配線フィルムの端部が、前記液晶表示素子の前記張出部のドライバ搭載面上に、前記複数の配線の形成面とは反対面を前記ドライバ搭載面に対向させて貼付けられ、前記張出部のドライバ搭載面及び前記配線フィルムの上に、前記ドライバ素子が、前記複数の入力側端子電極を前記配線フィルムの複数の配線の端部に接続され、前記複数の出力側端子電極を前記ドライバ搭載面に形成された前記複数の駆動信号供給配線の端部に接続されて搭載されていることを特徴とする。
【０００６】
この液晶表示装置において、前記ドライバ素子の複数の入力側端子電極と複数の出力側端子電極はそれぞれ、前記入力側端子電極のドライバ素子面からの突出高さと前記配線フィルムの厚さとの和と、前記出力側端子電極のドライバ素子面からの突出高さと前記液晶表示素子の駆動信号供給配線の端部の厚さとが実質的に等しくなる高さに形成するのが好ましい。
【発明の効果】
【０００７】
この発明の液晶表示装置は、前記配線フィルムの端部を、前記液晶表示素子の一方の基板に形成されたドライバ搭載用張出部のドライバ搭載面上に、この配線フィルムの配線形成面とは反対面を前記ドライバ搭載面に対向させて貼付け、前記張出部のドライバ搭載面及び前記配線フィルムの上に、前記ドライバ素子を、その複数の入力側端子電極を前記配線フィルムの複数の配線の端部に接続し、複数の出力側端子電極を前記ドライバ搭載面に形成された前記複数の駆動信号供給配線の端部に接続して搭載しているため、前記液晶表示素子のドライバ搭載用張出部の面積を小さくし、前記液晶表示素子の外形をその画面サイズに近い小型形状にすることができる。
【０００８】
この液晶表示装置において、前記ドライバ素子の複数の入力側端子電極と複数の出力側端子電極はそれぞれ、前記入力側端子電極のドライバ素子面からの突出高さと前記配線フィルムの厚さとの和と、前記出力側端子電極のドライバ素子面からの突出高さと前記液晶表示素子の駆動信号供給配線の端部の厚さとが実質的に等しくなる高さに形成するのが好ましく、このようにすることにより、前記ドライバ素子の複数の入力側端子電極及び出力側端子電極をそれぞれ、前記配線フィルムの複数の配線の端部及び前記液晶表示素子の複数の駆動信号供給配線の端部に良好な導通状態で接続することができる。
【発明を実施するための最良の形態】
【０００９】
図１及び図２はこの発明の一実施例を示しており、図１はドライバ搭載型液晶表示装置の斜視図、図２前記液晶表示装置の一部分の断面図である。
【００１０】
このドライバ搭載型液晶表示装置は、ドライバ搭載用張出部３ａを有する液晶表示素子１と、図示しない外部回路からの制御信号に基づいて前記液晶表示素子１に表示駆動信号を出力するドライバ素子７と、前記外部回路からの制御信号を前記ドライバ素子７に供給するためのフレキシブル配線フィルム９とを備えている。
【００１１】
前記液晶表示素子１は、枠状のシール材５を介して接合され、前記シール材５により囲まれた領域に設けられた液晶層２を挟んで対向するとともに、対向する内面それぞれに、互いに対向する領域によりマトリックス状に配列する複数の画素を形成する透明電極（図示せず）が設けられた一対の透明基板３，４のうち、一方の基板（図において下側の基板）３の一側縁部に、前記ドライバ素子７を搭載するための張出部３ａを形成したものであり、この張出部３ａのドライバ搭載面、つまり他方の基板（図において上側の基板）４と対向する側の面に、前記複数の画素の電極間に表示駆動信号を供給するための複数の駆動信号供給配線６が形成されている。
【００１２】
この液晶表示素子１は、例えば、前記一方の基板３の内面に、行方向及び列方向にマトリックス状に配列する複数の画素電極と、これらの画素電極にそれぞれ接続された複数のＴＦＴ（薄膜トランジスタ）と、各行のＴＦＴにそれぞれゲート信号を供給する複数のゲート配線と、各列のＴＦＴにそれぞれデータ信号を供給する複数のデータ配線とが設けられ、他方の基板４の内面に、前記複数の画素電極に対向する一枚膜状の対向電極が設けられたアクティブマトリックス液晶表示素子であり、前記複数の駆動信号供給配線６は、前記複数のゲート配線及びデータ配線と、前記シール材５による基板接合部に設けられて前記対向電極の端部に接続されたクロス電極とからそれぞれ前記ドライバ搭載面の予め定められたドライバ搭載領域に導出形成されている。
【００１３】
なお、この液晶表示素子１は、例えば、前記液晶層２の液晶分子を一対の基板３，４間において実質的に９０度のツイスト角でツイスト配向させたＴＮ（ツイステッドネマティック）型のものであり、図では省略しているが、前記一対の基板３，４の外面にそれぞれ偏光板が配置されている。
【００１４】
前記ドライバ素子７は、その構造は図示しないが、一方の面に、複数の入力側端子電極８ａと複数の出力側端子電極８ｂが配列形成され、外部回路から前記複数の入力側端子電極８ａに入力される制御信号に基づいて前記複数の出力側端子電極８ｂから前記液晶表示素子１に表示駆動信号を出力するＬＳＩ等の半導体集積回路素子からなっており、前記複数の入力側端子電極８ａは、ドライバ素子７の一側縁に沿わせて配列され、前記複数の出力側端子電極８ｂは、ドライバ素子７の他側縁及び両端縁に沿わせて配列されている。
【００１５】
このドライバ素子７の複数の入力側端子電極８ａと複数の出力側端子電極８ｂはそれぞれ、前記入力側端子電極８ａのドライバ素子７面からの突出高さと前記フレキシブル配線フィルム９の厚さとの和と、前記出力側端子電極８ｂのドライバ素子７面からの突出高さと前記液晶表示素子１の駆動信号供給配線６の端部の厚さとが実質的に等しくなる高さに形成されている。
【００１６】
前記フレキシブル配線フィルム９は、樹脂フィルム１０の一方の面に、前記外部回路からの制御信号を前記ドライバ素子７の複数の入力側端子電極８ａに供給するための複数の配線１１を形成したものである。
【００１７】
なお、この配線フィルム９の厚さは、前記液晶表示素子１の駆動信号供給配線６の端部の厚さよりも厚く、したがって、前記ドライバ素子７の複数の入力側端子電極８ａと複数の出力側端子電極８ｂはそれぞれ、前記入力側端子電極８ａのドライバ素子７面からの突出高さを、前記出力側端子電極８ｂのドライバ素子７面からの突出高さよりも、前記配線フィルム９の厚さと前記液晶表示素子１の駆動信号供給配線６の端部の厚さとの差だけ大きくした高さに形成されている。
【００１８】
そして、前記配線フィルム９は、そのドライバ接続側の端部を、前記液晶表示素子１の前記張出部３ａのドライバ搭載面上に、前記複数の配線１１の形成面とは反対面（樹脂フィルム１０の他方の面）を前記ドライバ搭載面に対向させるとともに、この配線フィルム９の複数の配線１１の端部を、前記張出部３ａのドライバ搭載面上に前記ドライバ素子７をその複数の出力側端子電極８ｂを前記液晶表示素子１の複数の駆動信号供給配線６の端部に対応させて搭載したときに、前記複数の配線１１の端部が前記ドライバ素子７の複数の入力側端子電極８ａにそれぞれ対応するように位置合わせして重ねられ、図示しない粘着剤により前記張出部３ａのドライバ搭載面上に貼付けられている。
【００１９】
そして、前記ドライバ素子７は、前記張出部３ａのドライバ搭載面及び前記配線フィルム９の上に、このドライバ素子７の複数の入力側端子電極８ａを前記配線フィルム９の複数の配線１１の端部に接続され、複数の出力側端子電極８ｂを前記ドライバ搭載面に形成された前記複数の駆動信号供給配線６の端部に接続されて搭載されている。
【００２０】
この液晶表示装置は、前記液晶表示素子１の前記張出部３ａのドライバ搭載面上に前記配線フィルム９を貼付け、その後に、前記張出部３ａのドライバ搭載面上に前記ドライバ素子７を、その複数の入力側端子電極８ａを前記配線フィルム９の複数の配線１１の端部に接続し、複数の出力側端子電極８ｂを前記複数の駆動信号供給配線６の端部に接続して搭載する製造方法で製造されたものであり、この実施例では、前記ドライバ素子７の複数の入力側端子電極８ａ及び出力側端子電極８ｂを半田等の低融点金属により形成し、これらの端子電極８ａ，８ｂを、前記配線フィルム９の複数の配線１１及び前記液晶表示素子１の複数の駆動信号供給配線６にダイレクトボンディングにより接続している。
【００２１】
なお、前記液晶表示素子１の張出部３ａのドライバ搭載領域は、前記ドライバ素子７の搭載後に、前記配線フィルム９のドライバ素子接続部を含んで、図２に仮想線（二点鎖線）で示したように保護樹脂１２により覆われる。
【００２２】
この液晶表示装置は、前記配線フィルム９の端部を、前記液晶表示素子１の一方の基板３に形成されたドライバ搭載用張出部３ａのドライバ搭載面及び前記配線フィルム９の上に、この配線フィルム９の配線形成面とは反対面を前記ドライバ搭載面に対向させて貼付け、前記張出部３ａのドライバ搭載面及び前記配線フィルム９の上に、前記ドライバ素子７を、その複数の入力側端子電極８ａを前記配線フィルム９の複数の配線１１の端部に接続し、複数の出力側端子電極８ｂを前記ドライバ搭載面に形成された前記複数の駆動信号供給配線６の端部に接続して搭載しているため、前記張出部３ａのドライバ搭載領域内の一部と前記配線フィルム９の取付け領域の一部とをラップさせることができる。
【００２３】
したがって、この液晶表示装置によれば、前記液晶表示素子１のドライバ搭載用張出部３ａの面積を小さくし、前記液晶表示素子１の外形をその画面サイズ（複数の画素のマトリックス状配列領域）に近い小型形状にすることができる。
【００２４】
また、この実施例の液晶表示装置は、前記ドライバ素子７の複数の入力側端子電極８ａと複数の出力側端子電極８ｂをそれぞれ、前記入力側端子電極８ａのドライバ素子面からの突出高さと前記配線フィルム９の厚さとの和と、前記出力側端子電極８ｂのドライバ素子面からの突出高さと前記液晶表示素子１の駆動信号供給配線６の端部の厚さとが実質的に等しくなる高さに形成しているため、前記ドライバ素子７の複数の入力側端子電極８ａ及び出力側端子電極８ｂを、前記配線フィルム９の複数の配線１１及び前記液晶表示素子１の複数の駆動信号供給配線６に、前記端子電極８ａ，８ｂの電極面を前記配線１１，６の配線面にフラットに対向させて充分な接続面積で接続することができ、したがって、前記ドライバ素子７の複数の入力側端子電極８ａ及び出力側端子電極８ｂをそれぞれ、前記配線フィルム９の複数の配線１１の端部及び前記液晶表示素子１の複数の駆動信号供給配線６の端部に良好な導通状態で接続することができる。
【００２５】
なお、上記実施例では、前記ドライバ素子７の複数の入力側端子電極８ａ及び出力側端子電極８ｂを半田等の低融点金属により形成し、これらの端子電極８ａ，８ｂを、前記配線フィルム９の複数の配線１１及び前記液晶表示素子１の複数の駆動信号供給配線６にダイレクトボンディングにより接続しているが、前記ドライバ素子７の複数の入力側端子電極８ａ及び出力側端子電極８ｂを高融点金属により形成し、これらの端子電極８ａ，８ｂを、前記配線フィルム９の複数の配線１１及び前記液晶表示素子１の複数の駆動信号供給配線６に、樹脂中に導電性粒子を分散させた異方導電性接着剤により接続してもよい。
【００２６】
また、前記液晶表示装置は、上述した製造方法（液晶表示素子１の張出部３ａのドライバ搭載面上に配線フィルム９を貼付け、その後に前記ドライバ素子７を搭載する方法）に限らず、まず、前記配線フィルム９のドライバ接続側の端部に、前記ドライバ素子７を、その複数の入力側端子電極８ａを前記配線フィルム９の複数の配線１１の端部にダイレクトボンディングまたは異方導電性接着剤により接続し、その後に、液晶表示素子１の張出部３ａのドライバ搭載面上に、前記ドライバ素子７を、その複数の出力側端子電極８ｂを前記複数の駆動信号供給配線６の端部にダイレクトボンディングまたは異方導電性接着剤により接続して搭載するとともに、前記張出部３ａのドライバ搭載面上に前記配線フィルム９を貼付ける製造方法で製造することもできる。
【００２７】
また、上記実施例の液晶表示装置は、一方の基板３の一側縁部にドライバ搭載用張出部３ａを形成した液晶表示素子１を備えたものであるが、この発明は、前記一方の基板３の一側縁部と一端縁部とにそれぞれドライバ搭載用張出部を形成した液晶表示素子を備えた液晶表示素子にも適用することができ、また、前記液晶表示素子は、アクティブマトリックス型液晶表示素子に限らず、単純マトリックス型液晶表示素子でもよい。
【図面の簡単な説明】
【００２８】
【図１】この発明の一実施例を示す液晶表示装置の斜視図。
【図２】前記液晶表示装置の一部分の断面図。
【符号の説明】
【００２９】
１…液晶表示素子、２…液晶層、３，４…基板、３ａ…張出部、５…シール材、６…駆動信号供給配線、７…ドライバ素子、８ａ…入力側端子電極、８ｂ…出力側端子電極、９…フレキシブル配線フィルム、１０…樹脂フィルム、１１…配線。
【図１】
2005189431.tif 000003
【図２】
2005189431.tif 000004